(57)【特許請求の範囲】
【請求項１】
文書画像データと第１の動画像データとからなるマルチメディアデータを第２の動画像データに変換するマルチメディアデータ処理装置であって、
前記マルチメディアデータが記録された記憶媒体から前記マルチメディアデータを読み出すマルチメディアデータ読み出し手段と、
前記マルチメディアデータ読み出し手段により読み出されたマルチメディアデータが展開されるフレームメモリ手段と、
前記フレームメモリ手段に展開されたデータを第２の動画像データとしてとして変換する動画像変換手段とを備え、
前記第２の動画像データのフォーマットは、前記第１の動画像データのフォーマットと同一であることを特徴とするマルチメディアデータ処理装置。
【請求項２】
前記フレームメモリ手段に展開されたデータを表示する表示手段と、
前記第２の動画像を記録する記録手段と
を備えたことを特徴とする請求項１に記載のマルチメディアデータ処理装置。
【請求項３】
文書画像データと第１の動画像データとからなるマルチメディアデータを第２の動画像データに変換するマルチメディアデータ処理方法であって、
前記マルチメディアデータが記録された記憶媒体から前記マルチメディアデータを読み出すマルチメディアデータ読み出し工程と、
前記マルチメディアデータ読み出し工程により読み出されたマルチメディアデータをフレームメモリに展開するデータ展開工程と、
前記フレームメモリに展開されたデータを第２の動画像データとしてとして変換する動画像変換工程とを備え、
前記第２の動画像データのフォーマットは、前記第１の動画像データのフォーマットと同一であることを特徴とするマルチメディアデータ処理方法。
【請求項４】
前記データ展開工程で展開されたデータを表示する表示工程と、
前記第２の動画像を記録する記録工程と
を備えたことを特徴とする請求項３に記載のマルチメディアデータ処理方法。
【発明の詳細な説明】
【技術分野】
【０００１】
本発明は、静止画像の一部に動画像が嵌め込まれたマルチメディアデータを、動画像データに変換したり、メディアに記録したりするマルチメディアデータ処理方法及び装置に関する。
【背景技術】
【０００２】
マルチメディアデータを再生するシステムの一般的な構成を、図１１に示す。同図において、１１０１はマルチメディアデータを記録したＣＤ−ＲＯＭ、１１０２はパーソナルコンピュータ、１１０３はディスプレイである。ＣＤ−ＲＯＭ１１０１に記録されたマルチメディアデータは、文書画像データ、静止画像データ、描画命令データ及び動画像データ等を空間的・時間的に組み合わせたものであり、これをパーソナルコンピュータ１１０２が解釈し、表示すべき画像をリアルタイムにパーソナルコンピュータ１１０２内部のフレームバッファ上に作成し、ディスプレイ１１０３に表示する。
【０００３】
また、従来、汎用のパーソナルコンピュータを有するシステムにより、文書画像データの一部に動画像データが嵌め込まれたマルチメディアデータを記録する場合は、前記文書画像データと前記動画像データを同一のメディアに記録するのが一般的であった。この場合のメディアとしては、ＣＤ−ＲＯＭ等のリムーバブルメディア或はハードディスク等の固定メディアが一般的であった（例えば、特許文献１参照）。
【特許文献１】特開平５−２４２１６６号
【発明の開示】
【発明が解決しようとする課題】
【０００４】
しかしながら、上述した前者の従来例では、下記のような問題点があった。
【０００５】
（１）マルチメディアデータの共通フォーマットが確立されていないため、例えば、Ａ社製のマルチメディアソフトをＢ社製の再生システムで再生することができない。しかも、フォーマットの交換は、非常に困難であり（少なくともユーザが８ミリビデオをＶＨＳ方式ビデオにダビングするようなわけにはいかない）、通常は、Ａ社がＢ社製の再生システム用のソフトを制作するか、Ｂ社製の再生システムがＡ社製のマルチメディアソフトのフォーマットに対応するしかない。
【０００６】
（２）マルチメディアデータをリアルタイムに処理するには、ＣＰＵ（中央演算処理装置）及び周辺デバイスに高度な能力を必要とするため、再生系のコストを下げることが困難である。
【０００７】
また、上述した後者の従来例では、下記のような問題点があった。
【０００８】
即ち、文書画像データは検索及び使用される頻度が高いため、リムーバブルメディアにバラバラに記録されているのでは、検索効率が低下するため、固定メディア上に記録することが望ましく、一方、動画像データはそのデータ量が莫大であるため、容量の限られた固定メディアではなく、容量制限のないリムーバブルメディアに記録することが望ましい。しかしながら、上述した従来例では、マルチメディアデータを構成する総てのデータを同一のメディアに記録しているため、上述したようなメディアの使い分けが困難である。
【０００９】
本発明は上述した従来の技術の有するこのような問題点に鑑みてなされたものであり、その目的とするところは、マルチメディアデータフォーマット間の互換性の問題の解消及び再生系のコストダウンを図ることができるマルチメディアデータ処理方法及び装置を提供しようとするものである。
【課題を解決するための手段】
【００１０】
上記目的を達成するために本発明のマルチメディア処理装置は、文書画像データと第１の動画像データとからなるマルチメディアデータを第２の動画像データに変換するマルチメディアデータ処理装置であって、前記マルチメディアデータが記録された記憶媒体から前記マルチメディアデータを読み出すマルチメディアデータ読み出し手段と、前記マルチメディアデータ読み出し手段により読み出されたマルチメディアデータが展開されるフレームメモリ手段と、前記フレームメモリ手段に展開されたデータを第２の動画像データとしてとして変換する動画像変換手段とを備え、前記第２の動画像データのフォーマットは、前記第１の動画像データのフォーマットと同一であることを特徴とする。
【００１１】
また、上記目的を達成するために本発明のマルチメディア処理方法は、文書画像データと第１の動画像データとからなるマルチメディアデータを第２の動画像データに変換するマルチメディアデータ処理方法であって、前記マルチメディアデータが記録された記憶媒体から前記マルチメディアデータを読み出すマルチメディアデータ読み出し工程と、前記マルチメディアデータ読み出し工程により読み出されたマルチメディアデータをフレームメモリに展開するデータ展開工程と、前記フレームメモリに展開されたデータを第２の動画像データとしてとして変換する動画像変換工程とを備え、前記第２の動画像データのフォーマットは、前記第１の動画像データのフォーマットと同一であることを特徴とする。
【発明の効果】
【００１６】
以上詳述したように、本発明のマルチメディアデータ処理方法及び装置によれば、マルチメディアデータを動画像データに変換することにより、マルチメディアデータフォーマット間の互換性の問題を解消することができると共に、再生系のコストダウンを図れる。
【発明を実施するための最良の形態】
【００１７】
以下、本発明の実施の形態を図１乃至図１０に基づき説明する。
【００１８】
（第１の発明の実施の形態）
まず、本発明の第１の実施の形態を図１に基づき説明する。図１は、本発明の第１の実施の形態に係わるマルチメディアデータ処理装置の構成を示すブロック図であり、同図中、１はマルチメディアデータ処理装置で、静止画像の一部に動画像が嵌め込まれたマルチメディアデータを、動画像データに変換処理するものである。マルチメディアデータ処理装置１は、ＣＤ−ＲＯＭ２、パーソナルコンピュータ（以下、パソコンと記述する）３、ディスプレイ４、動画像エンコーダ５及びＣＤ−ＲＯＭライター６から成る。
【００１９】
ＣＤ−ＲＯＭ２は、コンパクトディスクをパソコン３の外部記憶装置として利用する読み出し専用メモリで、マルチメディアデータが記録されるものである。該マルチメディアデータは、一般に描画命令群データ（文字描画や直線／曲線描画及び塗り潰し命令等）、静止画像データ（ビットマップデータ）及び動画像データ等から構成される。
【００２０】
パソコン３は、ＣＤ−ＲＯＭインタフェース３０１、ＲＡＭ（読み書き可能メモリ）３０２、ＲＯＭ（読み出し専用メモリ）３０３、ＣＰＵ（中央演算処理装置）３０４、フレームバッファ３０５、ポインティングデバイス３０６及びハードディスク３０７から成り、これらの各構成要素は、バス３０８を介して互いに接続されている。ＣＤ−ＲＯＭインタフェース３０１は、ＣＤ−ＲＯＭ２に接続される。ＲＡＭ３０２は、ＣＰＵ３０４のワークメモリと各種のデータを一時蓄積するために用いる。ＲＯＭ３０３には、ＣＰＵ３０４が実行するアプリケーションソフトウェアを含むプログラムが格納されている。ＣＰＵ３０４は、ＲＯＭ３０３に格納されたプログラムに基づいて本処理装置１全体を制御するものである。ＣＰＵ３０４は、前記アプリケーションソフトウェアに従って前記マルチメディアデータを時間軸に沿ってフレームバッファ３０５上に展開する。フレームバッファ３０５は、前記展開されたデータを一時的に格納するものである。ポインティングデバイス３０６は、データを入力するものである。ハードディスク３０７は、データを格納するものである。
【００２１】
ディスプレイ４は、画像データを表示するもので、ＣＲＴ（陰極線管）等から成る。動画像エンコーダ５は、フレームバッファ３０５上の動画像データを符号化するものである。ＣＤ−ＲＯＭライター６は、フレームバッファ３０５上の動画像データをＣＤ−ＲＯＭに書き込むものである。
【００２２】
次に、上記構成になるマルチメディアデータ処理装置１における、マルチメディアデータを動画像データに変換処理する動作を説明する。ＣＤ−ＲＯＭ２に格納されているマルチメディアデータが、ＣＤ−ＲＯＭインタフェース３０１に入力されると、ＣＰＵ３０４は、ＲＯＭ３０３に格納されているアプリケーションソフトウェアに従って前記マルチメディアデータを時間軸に沿ってフレームバッファ３０５上に展開する。そして、フレームバッファ３０５上の動画像データは、ディスプレイ４により表示されると同時に、動画像エンコーダ５により符号化され、ＣＤ−ＲＯＭライター６によりＣＤ−ＲＯＭに書き込まれる。
【００２３】
こうして新たに得られたＣＤ−ＲＯＭ（動画像データＣＤ−ＲＯＭ）は、マルチメディアデータを格納したＣＤ−ＲＯＭ（マルチメディアデータＣＤ−ＲＯＭ２）と同じ内容であるが、そのフォーマットは、動画像フォーマットになっている。動画像データのフォーマットは、ＭＰＥＧ（Ｍｏｔｉｏｎ  Ｐｉｃｔｕｒｅ  Ｅｘｐｅｒｔｓ  Ｇｒｏｕｐ；国際標準化機構“ＩＳＯ”と国際電気標準会議“ＩＥＣ”の合同組織の１つ），Ｈ．２６１等の国際標準が規定されているため、その互換性の問題は解消する。また、前記動画像データをパソコン３により再生する場合、動画像データのデコードと表示処理のみを行えばよいので、その負荷が軽減される。
【００２４】
尚、パソコン３のオペレーティングシステムやアプリケーションソフトウェアの動作については、従来周知であるから、その説明は省略する。
【００２５】
（第２の発明の実施の形態）
次に、本発明の第２の実施の形態を図２に基づき説明する。図２は、本発明の第２の実施の形態に係わるマルチメディアデータ処理装置の構成を示すブロック図であり、同図において、上述した本発明の第１の実施の形態の図１と同一部分には、同一符号が付してある。図２において図１と異なる点は、図１におけるパソコン３の構成に動画像データを復号化する動画像デコーダ３０９を付加したことである。
【００２６】
そして、ＣＤ−ＲＯＭ２からＣＤ−ＲＯＭインタフェース３０１に入力されたマルチメディアデータの内の動画像データ部分は、ＣＰＵ３０４ではなく、動画像デコーダ３０９で復号化処理される。
【００２７】
本発明の実施の形態のマルチメディアデータ処理装置１によって、マルチメディアデータと同じ内容の動画像データを格納したＣＤ−ＲＯＭが得られる。本発明の実施の形態のマルチメディアデータ処理装置１におけるパソコン３により前記動画像データを再生する場合は、ＣＤ−ＲＯＭインタフェース３０１から入力される動画像データがバス３０８を経由して動画像デコーダ３０９へ送られ、該動画像デコーダ３０９で復号化された動画像データがフレームバッファ３０５に直接書き込まれ、ディスプレイ４に表示される。この時、ＣＰＵ３０４には高度な処理能力は要求されないため、コストダウンを図ることができる。即ち、本発明の実施の形態のマルチメディアデータ処理装置１により、一旦、マルチメディアデータＣＤ−ＲＯＭを動画像データＣＤ−ＲＯＭに変換することにより、安価な構成のパソコン上でも、その動画像データを再生することができる。
【００２８】
尚、本発明の実施の形態におけるその他の構成は、上述した本発明の第１の実施の形態と同一であるから、その説明を省略する。
【００２９】
（第３の発明の実施の形態）
次に、本発明の第３の実施の形態を図３に基づき説明する。本発明の実施の形態は、上述した本発明の第１の実施の形態或は本発明の第２の実施の形態に係わるマルチメディアデータ処理装置により動画像データＣＤ−ＲＯＭを作成する際に、規格化されたビデオ−ＣＤのフォーマットで作成することにより、再生系のコストを更に下げることが可能であり、本発明の実施の形態は、このような場合に対応し得るようにしたものである。
【００３０】
図３は、ビデオ−ＣＤプレーヤを用いた再生システムの構成を示す図である。同図において、１０は動画像データＣＤ−ＲＯＭに格納された動画像データを再生するためのビデオ−ＣＤプレーヤ、１１はビデオ−ＣＤプレーヤ１０により再生された動画像データを表示するテレビジョン受信機である。ビデオ−ＣＤプレーヤ１０とテレビジョン受信機１１は、ビデオケーブル１２を介して互いに接続されている。
【００３１】
上述した本発明の第１の実施の形態或は本発明の第２の実施の形態に係わるマルチメディアデータ処理装置によりマルチメディアデータＣＤ−ＲＯＭを動画像データＣＤ−ＲＯＭに変換し、該動画像データＣＤ−ＲＯＭをビデオ−ＣＤプレーヤ１０に装填して再生することにより、その再生動画像データがテレビジョン受信機１１の画面に表示されるものである。図３に示すビデオ−ＣＤプレーヤ１０は、汎用パソコンに比して非常に安価であり、表示用デバイスもパソコン専用の高価なディスプレイではなく、広く一般に普及している家庭用のテレビジョン受信機を流用することができるため、トータルコストを下げることができる。
【００３２】
（第４の発明の実施の形態）
尚、上述した本発明の第１及び第２の実施の形態に係わるマルチメディアデータ処理装置では、マルチメディアデータは、ＣＤ−ＲＯＭ２により供給され、該供給されたマルチメディアデータを変換後の動画像データは、ＣＤ−ＲＯＭライター６によりＣＤ−ＲＯＭに書き込むようにしたが、本発明は、これに限られるものではない。例えば、マルチメディアデータがネットワーク経由で、本装置１に供給されて、変換された後の動画像データを、ハードディスクやフロッピー（登録商標）ディスク等に書き込むようにしても良い。
【００３３】
（第５の発明の実施の形態）
次に、本発明の第５の実施の形態を図４乃至図８に基づき説明する。図４は、本発明の第５の実施の形態に係わるマルチメディアデータ処理装置の構成を示すブロック図であり、同図中、２０はマルチメディアデータ処理装置で、文書画像の一部に動画像が嵌め込まれたマルチメディアデータを、メディアに記録処理するものである。マルチメディアデータ処理装置２０は、パソコン２１、ハードディスクドライブ２２、ＣＤ−ＲＯＭドライブ２３、ＭＯＤドライブ２４及びディスプレイ２５から成る。
【００３４】
パソコン２１は汎用型であるから、その構成の詳細説明は省略する。
【００３５】
ハードディスクドライブ２２はハードディスクを、ＣＤ−ＲＯＭドライブ２３はＣＤ−ＲＯＭを、ＭＯＤドライブ２４はＭＯＤ（光磁気ディスク）を、それぞれ駆動するものである。
【００３６】
尚、以下の説明では、必要に応じてＣＤ−ＲＯＭ、ＭＯＤ及びフロッピー（登録商標）ディスクを一括してリムーバブルメディアと記述し、ハードディスクを固定メディアと記述する。
【００３７】
ディスプレイ２５は、画像データを表示するもので、ＣＲＴ（陰極線管）等から成る。ディスプレイ２５には、図５に示すようなマルチメディア文書データを表示する領域２６を備え、同図において、２７は文書データを表示している領域、２８は動画像データを表示している領域、２９は動画像データ表示領域２８に表示されている動画像データを操作する操作パネルを表示している領域である。
【００３８】
図５のようにディスプレイ２５に表示されるマルチメディア文書データ２６のデータ構造を図６に示す。同図において、データの先頭から順に文書スタートコード３１、文書データ本体３２、動画スタートコード３３、動画表示領域へのオフセット３４、動画表示領域のサイズ３５、メディア種別コード３６、メディアのボリュームナンバー３７、動画ファイルの名称３ａ、ビットマップデータ３ｂ、次のデータのスタートコード３ｃがそれぞれ格納され、データの終端には終端コード（ＥＯＦ）３ｄが格納されている。
【００３９】
尚、文書データ本体３２の構造については従来周知であるので、その詳細説明は省略する。
【００４０】
動画表示領域へのオフセット３４とは、図５において動画像データ表示領域２８の左上端の位置を、マルチメディア文書データ表示領域２６の左上端からのＸ，Ｙ座標値（画素数）で表わしたものである。
【００４１】
動画表示領域のサイズ３５とは、動画像データ表示領域２８の幅と高さを画素数単位で表わしたものである。
【００４２】
尚、動画像表示領域へのオフセット３４及び動画像表示領域のサイズ３５のいずれも、画面解像度に依存しないメートル系等の単位系で表わしても良い。
【００４３】
メディア種別コード３６とは、動画像データが格納されているメディアの種類を指定するものである。例えば、メディアがＣＤ−ＲＯＭであれば０×０１、ＭＯＤであれば０×０２、フロッピー（登録商標）ディスクであれば０×０３、ハードディスクであれば０×ＦＦ等の一意なコードが入っているものとする。
【００４４】
メディアのボリュームナンバー３７とは、動画像データがリムーバブルメディアに格納されている時に、メディアボリューム（実際にどのディスクかを指定する番号）を指定するものである。各メディアには、一意なメディアボリュームが割り当てられているものとする。
【００４５】
尚、数値ではなくボリューム名のように、名前を割り当てるようにしても良い。
【００４６】
動画ファイルの名称３ａとは、動画像データが格納されているファイルの名称を指定するものである。
【００４７】
ビットマップデータ３ｂとは、動画像データの再生を行っていない時に、文書データ中にある特定の動画像データが嵌め込まれていることを示すための静止画像データである。
【００４８】
次に、パソコン２１のポインティングデバイスによりマルチメディア文書ファイル中の動画像データを再生することが指示された場合の動作を、図７のフローチャートを用いて説明する。
【００４９】
パソコン２１のポインティングデバイスによりマルチメディア文書ファイル中の動画像データを再生することが指示されると、まず、ステップＳ７０１でメディア種別コード３６により指定されたメディア（ハードディスク、ＣＤ−ＲＯＭ、ＭＯＤ及びフロッピー（登録商標）ディスク等）を駆動するデバイス（ハードディスクドライブ２２、ＣＤ−ＲＯＭドライブ２３、ＭＯＤドライブ２４及びフロッピー（登録商標）ディスクドライブ等）にメディアが挿入されているか否かを判別する。そして、前記メディアが挿入されていなければ、ステップＳ７０４のプロンプト表示処理ルーチンへ進む。
【００５０】
このプロンプト表示処理ルーチンは、ディスプレイ２５上に図８に示すようなプロンプトパネル４０を表示する。ここで第１フィールド４１にはメディア種別コード３６により指定されるデバイス名が、第２フィールド４２にはメディアのボリュームナンバー３７が、それぞれ表示されている。ユーザがメディアを指定された通りにデバイスに挿入した後、確認ボタン４３を前記ポインティングデバイスによりクリックすると、プロンプト表示処理ルーチンは終了し、前記ステップＳ７０１へ戻る。
【００５１】
一方、前記ステップＳ７０１で前記メディアが挿入されていれば、ステップＳ７０２へ進んで、指定されたデバイスに挿入されたメディアと、メディアのボリュームナンバー３７により指定されたメディアとが一致するか否かを判別する。そして、指定されたデバイスに挿入されたメディアと、メディアのボリュームナンバー３７により指定されたメディアとが一致すれば、ステップＳ７０３の動画像データ再生処理ルーチンへ進んで、動画像データ再生処理を実行した後、本処理動作を終了する。また、前記ステップＳ７０２において指定されたデバイスに挿入されたメディアと、メディアのボリュームナンバー３７により指定されたメディアとが一致しなければ、前記ステップＳ７０４のプロンプト表示処理ルーチンへ進む。
【００５２】
尚、前記ステップＳ７０３において実行される動画像データ再生処理ルーチンの動作は、従来周知であるので、その詳細説明を省略する。
【００５３】
本発明の実施の形態で示したようなデータ構造を採用することにより、マルチメディア文書データ中の動画像データを、文書データ本体とは異なるリムーバブルメディアに記録することができるので、検索効率が重要視される文書データは、固定メディア上で一括して管理し、大容量の動画像データは、容量制限のないリムーバブルメディア上に記録することができる。
【００５４】
（第６の発明の実施の形態）
次に、本発明の第６の実施の形態を図９に基づき説明する。尚、本発明の実施の形態に係わるマルチメディアデータ処理装置の基本構成及びマルチメディア文書データのデータ構造は、上述した本発明の第５の実施の形態の図４及び図５、図６と同一であるから、これら図４乃至図６を流用して説明する。
【００５５】
図９は、本発明の実施の形態に係わるマルチメディアデータ処理装置２０におけるパソコン２５のポインティングデバイスによりマルチメディア文書ファイル中の動画像データを再生することが指示された場合の動作を示すフローチャートである。
【００５６】
マルチメディアデータ処理装置２０におけるパソコン２５のポインティングデバイスによりマルチメディア文書ファイル中の動画像データを再生することが指示されると、まず、ステップＳ９０１でメディアのボリュームナンバー３７及び動画ファイルの名称３ａにより指定される動画ファイルのコピーが固定メディア中に存在するか否かを判別する。そして、メディアのボリュームナンバー３７及び動画ファイルの名称３ａにより指定される動画ファイルのコピーが固定メディア中に存在しない場合は、ステップＳ９０２へ進んで、メディア種別コード３６により指定されたデバイスにメデイアが挿入されているか否かを判別する。そして、メディア種別コード３６により指定されたデバイスにメデイアが挿入されていなければ、ステップＳ９０３のプロンプト表示処理ルーチンへ進む。このプロンプト表示処理ルーチンは、ディスプレイ２５上に図８に示すようなプロンプトパネル４０を表示する。ここで、第１フィールド４１には、メディア種別コード３６により指定されたデバイス名が、第２フィールド４２には、メディアのボリュームナンバー３７がそれぞれ表示されている。ユーザがメディアを指定通りにデバイスに挿入し、確認ボタン４３を前記ポインティングデバイスによりクリックすると、プロンプト表示処理ルーチンは終了し、前記ステップＳ９０２へ戻る。
【００５７】
また、前記ステップＳ９０２において、メディア種別コード３６により指定されたデバイスにメディアが挿入されていれば、ステップＳ９０４へ進んで、ここで指定されたデバイスに挿入されたメディアと、メディアのボリュームナンバー３７により指定されたメディアとが一致するか否かを判別する。そして、指定されたデバイスに挿入されたメディアと、メディアのボリュームナンバー３７により指定されたメディアとが一致しなければ、前記ステップＳ９０３のプロンプト表示処理ルーチンへ、一致すれば、ステップＳ９０５へ、それぞれ進む。
【００５８】
ステップＳ９０５では、固定メディア中に、指定された動画ファイルをコピーできるだけの空き容量があるか否かを判別する。そして、固定メディア中に、指定された動画ファイルをコピーできるだけの空き容量がなければ、ステップＳ９０６へ進んで、既に固定メディア中に存在する動画ファイルのコピー群の中から不要なもの、例えば、作成時刻が最も古いものを選んで消去することにより、固定メディアの空き容量を増やした後、前記ステップＳ９０５へ戻る。即ち、動画ファイルのコピーが可能になるまで固定メディアの不要なコピーの消去動作を繰り返し実行する。
【００５９】
また、前記ステップＳ９０５において、固定メディア中に、指定された動画ファイルをコピーできるだけの空き容量があれば、ステップＳ９０７へ進んで、指定された動画ファイルを固定メディアにコピーした後、ステップＳ９０８の動画像データ再生処理ルーチンへ進んで、動画像データを再生処理した後、本処理動作を終了する。
【００６０】
尚、前記ステップＳ９０８において実行される動画像データ再生処理ルーチンの動作は、従来周知であるから、その詳細説明は省略する。
【００６１】
一方、前記ステップＳ９０１において、メディアのボリュームナンバー３７及び動画ファイルの名称３ａにより指定される動画ファイルのコピーが固定メディア中に存在すれば、直接前記ステップＳ９０８の動画像データ再生処理ルーチンへ進んで、動画像データを再生処理した後、本処理動作を終了する。
【００６２】
前記固定メディア上にコピーを作成できるか否かの判定基準としては、固定メディアの空き容量による制限の他に、予めキャッシュに用いるメディア容量を規定しておき、コピーの総データ量がこの値を超えるか否かで判定するようにしても良い。
【００６３】
また、固定メディア上のデータの要・不要の判定基準としては、作成時刻による判定の他に、例えば、各コピーが参照された回数を計数し、参照頻度の低いものから順に消去するようにしても良い。
【００６４】
また、本発明の実施の形態では、最初に動画像データが参照される場合にコピーを作成するようにしたが、本発明は、これに限られるものではなく、例えば、動画像データの参照回数を計数しておき、参照頻度が高いと判定された場合にコピーを作成するようにしても良い。
【００６５】
以上のように本発明の実施の形態に係わるマルチメディアデータ処理装置を採用することにより、検索効率が重要視される文書データは、固定メディア上で一括して管理し、大容量の動画像データは、容量制限のないリムーバブルメディア上に記録することができると同時に、参照頻度の高い動画像データは固定メディア上にキャッシュすることにより、メディア交換の手間を低減することができるものである。
【００６６】
（第６の発明の実施の形態）
次に、本発明の第６の実施の形態を図１０に基づき説明する。
【００６７】
本発明の実施の形態は、リムーバブルメディアのドライブとして、複数のリムーバブルメディアを自動的に交換するオートチェンジャーを備えたものを用いることにより、その操作性を改善するようにしたものである。
【００６８】
尚、本発明の実施の形態において、マルチメディアデータ処理装置の基本構成及びマルチメディア文書データのデータ構成は、上述した本発明の第４実施の形態の図４及び図５、図６と同一であるから、これら図４乃至図６を流用して説明する。
【００６９】
本発明の実施の形態において図４の構成と異なる点は、図４におけるＣＤ−ＲＯＭドライブ２３にはオートチェンジャー機能が備わっていて、このオートチェンジャー機能部に挿入された複数のリムーバブルメディアから任意の１枚を、パソコン２１からの指示により自動的にＣＤ−ＲＯＭドライブ２３に挿入できるようにしたことである。
【００７０】
図１０は、本発明の実施の形態に係わるマルチメディアデータ処理装置２０におけるパソコン２１のポインティングデバイスによりマルチメディア文書ファイル中の動画像データを再生することが指示された場合の動作を示すフローチャートである。
【００７１】
マルチメディアデータ処理装置２０におけるパソコン２１のポインティングデバイスによりマルチメディア文書ファイル中の動画像データを再生することが指示されると、まず、ステップＳ１００１でメディア種別コード３６により指定されたデバイスに、メデイアのボリュームナンバー３７により指定されたメディアが挿入されているか否かを判別する。そして、メディア種別コード３６により指定されたデバイスに、メデイアのボリュームナンバー３７により指定されたメディアが挿入されていなければ、ステップＳ１００２へ進んで、ＣＤ−ＲＯＭドライブ２３のオートチェンジャー機能部に挿入されている複数のメディアの中に、メデイアのボリュームナンバー３７により指定されたメディアが挿入されているか否かを判別する。そして、ＣＤ−ＲＯＭドライブ２３のオートチェンジャー機能部に挿入されている複数のメディアの中に、メデイアのボリュームナンバー３７により指定されたメディアが挿入されていなければ、ステップＳ１００４のプロンプト表示処理ルーチンへ進む。
【００７２】
このプロンプト表示処理ルーチンは、ディスプレイ２５上に図８に示すようなプロンプトパネル４０を表示する。ここで、第１フィールド４１にはメディア種別コード３６により指定されたデバイス名が、第２フィールド４２にはメディアのボリュームナンバー３７が、それぞれ表示されている。ユーザがメディアを指定通りにデバイスに挿入し、確認ボタン４３を前記ポインティングデバイスによりクリックすると、プロンプト表示処理ルーチンは終了し、前記ステップＳ１００２へ戻る。
【００７３】
一方、前記ステップＳ１００１において、メディア種別コード３６により指定されたデバイスにメデイアのボリュームナンバー３７により指定されたメディアが挿入されていれば、ステップＳ１００５の動画像データ再生処理ルーチンへ直接進んで、動画像データを再生処理した後、本処理動作を終了する。
【００７４】
尚、前記ステップＳ１００５において実行される動画像データ再生処理ルーチンの動作は従来周知であるから、その詳細説明は省略する。
【００７５】
また、前記ステップＳ１００２において、ＣＤ−ＲＯＭドライブ２３のオートチェンジャー機能部に挿入されている複数のメディアの中に、メデイアのボリュームナンバー３７により指定されたメディアが挿入されていれば、ステップＳ１００３へ進んで、ＣＤ−ＲＯＭドライブ２３に挿入されているメディアをオートチェンジャー機能部内に移動し、該オートチェンジャー機能部内に挿入されているメディアを、メディアのボリュームナンバー３７により指定されたメディアと交換する。その後、前記ステップＳ１００５の動画像データ再生処理ルーチンへ進んで、動画像データを再生処理した後、本処理動作を終了する。
【００７６】
以上のように、本発明の実施の形態に係わるマルチメディアデータ処理装置を採用することにより、検索効率が重要視される文書データは、固定メディア上で一括して管理し、大容量の動画像データは、容量制限のないリムーバブルメディア上に記録することができると同時に、オートチェンジャー機能を備えたリムーバブルメディアドライブを用いて、参照頻度の高いメディアをオートチェンジャー機能部に装填しておき、参照時に自動的にメディアを交換することにより、メディア交換の手間を低減することができるものである。
【図面の簡単な説明】
【００７７】
【図１】本発明の第１の実施の形態に係わるマルチメディアデータ処理装置の構成を示すブロック図である。
【図２】本発明の第２の実施の形態に係わるマルチメディアデータ処理装置の構成を示すブロック図である。
【図３】本発明の第３の実施の形態に係わるマルチメディアデータ処理装置におけるＣＤ−プレーヤを用いた再生システムの構成を示す図である。
【図４】本発明の第４の実施の形態に係わるマルチメディアデータ処理装置の構成を示す図である。
【図５】同実施の形態に係わるマルチメディアデータ処理装置におけるディスプレイの表示例を示す図である。
【図６】同実施の形態に係わるマルチメディアデータ処理装置におけるマルチメディア文書データの一例を示す図である。
【図７】同実施の形態に係わるマルチメディアデータ処理装置の動作を示すフローチャートである。
【図８】同実施の形態に係わるマルチメディアデータ処理装置のプロンプト表示処理ルーチンにより表示されたプロンプトパネルを示す図である。
【図９】本発明の第５の実施の形態に係わるマルチメディアデータ処理装置の動作を示すフローチャートである。
【図１０】本発明の第６の実施の形態に係わるマルチメディアデータ処理装置の動作を示すフローチャートである。
【図１１】従来のマルチメディアデータ処理装置の構成を示す図である。
【符号の説明】
【００７８】
１      マルチメディアデータ処理装置
２２    ハードディスクドライブ（記録手段、消去手段）
２３    ＣＤ−ＲＯＭドライブ（記録手段）
２４    ＭＯＤドライブ（記録手段）
３０４  ＣＰＵ（制御手段、変換手段、係数手段）
３０７  ハードディスクドライブ（記録手段、消去手段）
３０９  動画像デコーダ（変換手段）
【図１】
0003715980.tif 000002
【図２】
0003715980.tif 000003
【図３】
0003715980.tif 000004
【図４】
0003715980.tif 000005
【図５】
0003715980.tif 000006
【図６】
0003715980.tif 000007
【図７】
0003715980.tif 000008
【図８】
0003715980.tif 000009
【図９】
0003715980.tif 000010
【図１０】
0003715980.tif 000011
【図１１】
0003715980.tif 000012